(57)【要約】      （修正有）【課題】傘付帯の傘留めの代替えとして既存の傘留めと同様で軽くて、堅牢で雨雫対処も可能であるプラスチック製カーテンリングを使用した傘リング応用の傘用傘留め具を提供する。【解決手段】プラスチック製カーテンリングを使用した傘リング応用の傘用傘留め具であって、カーテンリングと、スプリングコイル１１と、蛍光ビーズ１７とを備え、留め金具、又はダブルクリップ（商標）、又はナスカンフックにて既存の傘バンドに係合して付帯できるようにする。【選択図】図１
0003218976.tif 000002
【実用新案登録請求の範囲】
【請求項１】
本考案は傘バンドに係合固着し携帯移動できるよう傘リングを応用し大型用、中型用、小型用、婦人向け日傘用、婦人向け晴れ雨兼用、小型用、中型用、大型用、ビニール傘、に使用できる特徴を有するプラスチック製カーテンリング使用の傘リング応用の傘用傘留め具。
【考案の詳細な説明】
【技術分野】
【０００１】
本考案は傘リングにプラスチック製カーテンリングを使用し傘バンドに付帯できるように傘リングを応用した大型用、中型用、小型用、婦人向け日傘用、婦人向け晴れ雨兼用、中型用小型用の中間の中小型用、小型ビニール専用の傘留めに関するものである。
【背景技術】
【０００２】
市販の傘留めには布バンド、金属製のボタン型、プラスチック製のボタン型、マジックテープ(登録商標）型、紐型、等々が傘留めとして流布しているが、一長、一短の為、多種に亘っているが、劣化し機能不全に成った場合、代替えが見いだせない。又、雨雫対策に考慮がない。
【先行技術文献】
【特許文献】
【０００３】
【特許文献１】特開２００１−０９５６１２
【考案の概要】
【考案が解決しようとする課題】
【０００４】
傘付帯の傘留めの代替えとして既存の傘留めと同様で軽くて、堅牢で雨雫対処も可能である傘留め。
【課題を解決するための手段】
【０００５】
雨雫対処は市販のビニール製傘袋を傘に覆い傘リングを被せ雨雫を防ぐ。プラスチック製リングの重量は１０ｇ、風雨に晒されない工夫をすれば耐久は延びる。方法は傘バンドの隙間に傘リングに係合したナスカンフック又は傘バンド留め金具で固着。傘リングは傘の柄より挿入し傘の中棒へ吊るし、傘バンドに付帯し携帯移動。
【考案の効果】
【０００６】
付帯の傘留めの代替えの利用に加え、傘リングでビニール製傘袋の上から覆い、雨雫の処理ができ、傘を開いた状態時はナスカンフックまたは傘バンド留め金にて傘に付帯し移動、傘の内部にナスカンフック、ネオジムマグネットも保持され雨に晒されないので傘留めとしての耐候性が延びた。
【図面の簡単な説明】
【０００７】
【図１】本考案の大型用傘向けの傘を閉じた状態時の用形態を示した斜視図である。
【図２】本考案の大型用傘けの傘を開いた状態時の傘リングの使用形態を示した斜視図である。
【図３】本考案の中型傘向けの傘を閉じた状態時の傘リング使用形態を示した斜視図である。
【図４】本考案の中型用傘向けの傘を開いた状態時の傘リングの使用形態を示した斜視図である。
【図５】本考案の小型用傘向けの傘を閉じた状態時の傘リングの使用形態を示した斜視図である。
【図６】本考案の小型用の傘を開いた状態時の傘リングの使用形態を示した斜視図である。
【図７】本考案の婦人向け日傘を閉じた状態時の傘リングの使用形態を示した斜視図である。
【図８】本考案の婦人向け日傘の傘を開いた状態時の傘リングの使用形態を示した斜視図である。
【図９】本考案の婦人向け晴れ雨兼用の傘を閉じた状態時の傘リングの使用形態を示した斜視図である。
【図１０】本考案の婦人向け晴れ雨兼用の傘を開いた状態時の傘リングの使用形態を示した斜視図である。
【図１１】本考案の小型より大きくて中型より小さい傘の傘を閉じた状態時の傘リングの使用形態を示した斜視図である。
【図１２】本考案の小型より大きくて中型より小さい傘の傘を開いた状態時の傘リングの使用形態を示した斜視図である。
【図１３】本考案の小型のビニール傘専用の傘を閉じた状態時の傘リングの使用形態を示した斜視図である。
【図１４】本考案のナスカンフックを使用して傘バンドに傘リング応用の傘用留め具を付帯する方法の手順を＃１〜＃５で示した斜視図である。
【図１５】本考案の止め金具を使用して傘バンドに傘リングを付帯する方法の手順を＃１〜＃３で示した斜視図である。
【図１６】本考案の大型用の傘向け傘リングの図面代用写真である。
【図１７】本考案の中型用向けの傘リングの図面代用写真である。
【図１８】本考案の小型用傘向け傘リングの図面代用写真である。
【図１９】本考案のWCLIPをしようして傘リング応用の傘用留め具を傘バンドに付帯する方法を示した斜視図である。
【図２０】本考案の婦人向け日傘用傘の傘リングの図面代用写真である。
【図２１】本考案の婦人向け晴れ雨兼用傘の傘ングの図面代用写真である。
【図２２】本考案の中型より小さくて小型より大きい傘向け傘リングの図面代用写真である。
【図２３】本考案の小型ビニール傘専用傘リングの図面代用写真である。
【考案を実施するための形態】
【０００８】
市販の傘の大きさは５０ｃｍ〜８０ｃｍがあり、傘の大きさ及び傘の親骨、受け骨の材質が鉄製、非鉄製に応じても本考案を実施するためには其々の傘の特徴に合った傘リングを選択する必要がある。
【実施例】
【０００９】
本考案を実施するための形態を図１６には大型用にナスカンフックを使用して傘バンドに傘リングを付帯する方法を＃１〜＃５の手順で示した。図１７には留め金具を使用して、傘バンドに傘リングを付帯する方法を＃１〜＃３の手順で示した。
【符号の説明】
【００１０】
1石突、２受け骨、３つゆさき、４中棒、５はじき、6親骨、７柄、８傘バンド、９ナスカンフック、１０ネオジムマグネット、１１スプリングコイルA、１２傘を閉じた状態時の傘リング、１３傘を開いた状態時の傘リング、１４傘を閉じた状態、１５傘を開いた状態、１６ナスカンフックカバー、１７蛍光ビーズ、１８止め金具、１９割合したプラスチック製カーテンリングに蛇腹形塩ビ製カバーで覆いを施した、２０ストラップA、２１スプリングコイルB、２２スプリングコイルC、２３カールコード、２４バンド形ストラップ
【図１】
0003218976.tif 000003
【図２】
0003218976.tif 000004
【図３】
0003218976.tif 000005
【図４】
0003218976.tif 000006
【図５】
0003218976.tif 000007
【図６】
0003218976.tif 000008
【図７】
0003218976.tif 000009
【図８】
0003218976.tif 000010
【図９】
0003218976.tif 000011
【図１０】
0003218976.tif 000012
【図１１】
0003218976.tif 000013
【図１２】
0003218976.tif 000014
【図１３】
0003218976.tif 000015
【図１４】
0003218976.tif 000016
【図１５】
0003218976.tif 000017
【図１６】
0003218976.tif 000018
【図１７】
0003218976.tif 000019
【図１８】
0003218976.tif 000020
【図１９】
0003218976.tif 000021
【図２０】
0003218976.tif 000022
【図２１】
0003218976.tif 000023
【図２２】
0003218976.tif 000024
【図２３】
0003218976.tif 000025
【手続補正書】
【提出日】平成30年9月23日(2018.9.23)
【手続補正１】
【補正対象書類名】実用新案登録請求の範囲
【補正対象項目名】全文
【補正方法】変更
【補正の内容】
【実用新案登録請求の範囲】
【請求項１】
プラスチック製カーテンリングを使用した傘リング応用の傘用傘留め具であって、カーテンリングと、スプリングコイルと、蛍光ビーズとを備え、留め金具、又はダブルクリップ（商標）、又はナスカンフックにて既存の傘バンドに係合して付帯できるようしたことを特徴とするプラスチック製カーテンリング応用の傘用傘留め具。